(57)【要約】【課題】  クリップ置き装置に溜まったクリップを捨てるときなど、取り出すさいに指で摘み出す作業がなくなり、安全で、かつまた取り出す時間も短くなり効率的となるクリップ置き装置およびこれを備えた電子写真装置を提供する。【解決手段】  電子写真装置の外装１に設けられるクリップ置き装置において、着脱可能なクリップ置き箱５を装着した。  【選択図】        図１
2006078908.tif 000002
【特許請求の範囲】
【請求項１】
電子写真装置の外装に設けられるクリップ置き装置において、前記外装に対してクリップ置き箱を着脱自在に装着したことを特徴とするクリップ置き装置。
【請求項２】
前記クリップ置き箱が前記外装に設けた穴内に着脱自在に嵌合配置されることを特徴とする請求項１記載のクリップ置き装置。
【請求項３】
前記クリップ置き箱が、前記外装の穴からの前記クリップ置き箱の着脱を容易にする取っ手を備えることを特徴とする請求項１記載のクリップ置き装置。
【請求項４】
前記クリップ置き箱はその開口周縁から張り出した２つのツバを有し、前記外装側の穴の周縁には凹所としての傾斜形状部分を有しており、一方の前記ツバを傾斜形状部分内に押し下げることにより、他方のツバが上昇するように構成したことを特徴とする請求項１記載のクリップ置き装置。
【請求項５】
電子写真装置の外装に設けられるクリップ置き装置において、前記外装に窪みを設け、この窪み底面に磁石を配置したことを特徴とするクリップ置き装置。
【請求項６】
前記窪み底面に磁石を配置し、該磁石の上面に薄いマイラを装着したことを特徴とする請求項５記載のクリップ置き装置。
【請求項７】
前記窪み底面の下に磁石を配置したことを特徴とする請求項５記載のクリップ置き装置。
【請求項８】
前記窪み底面の下にスライド式で稼動可能な磁石を配置したことを特徴とする請求項５記載のクリップ置き装置。
【請求項９】
請求項１ないし８のいずれか一項記載のクリップ置き装置を備えたことを特徴とする電子写真装置。
【発明の詳細な説明】
【技術分野】
【０００１】
本発明は、ファクシミリ、ＭＦＰ、複写機、プリンタ等の電子写真装置に設けられるクリップ置き装置およびこれを備えた電子写真装置に関するものである。
【背景技術】
【０００２】
従来から、電子写真装置には、ユーザがホチキス留めやクリップ留めを外したときに、外したホチキスの針やクリップを置くクリップ置き場が設けられている。かかるクリップ置き場は、外装を窪ませており、外したホチキスの針やクリップが散乱しないようになっている。
或る程度ホチキスの針が溜まったとき、溜まったホチキスの針を取り出すにあたり、指で摘み出すこととなるが、ホチキスの針は尖っているうえ、外した針は形状もまばらで針の先の向きが様々であるため、摘みにくく、指で摘んだ際に針先が指に突き刺さることもあり大変危険である。したがって、ホチキスの針を取り出すときに、気遣いが必要である。
図１４は従来のクリップ置き場を示す概略図である。電子写真装置の操作部の近傍にある外装１の上面に窪み１ａを付け、そこにクリップ２やホチキスの針３を置いている。したがって、クリップ置き場を、誤って肘などで押したときに、これらのクリップ２やホチキスの針３を落としてしまう危険性がある。
【発明の開示】
【発明が解決しようとする課題】
【０００３】
しかしながら、このときの指で摘み出す使い勝手も考慮して、外装の窪みは比較的浅いものとなっている。このため、クリップ置き場に置かれたホチキスの針やクリップは、上述のごとく、ユーザが誤って、文書や肘などでクリップを散乱させてしまうことがある。
そこで、本発明の目的は、上述した実情を考慮して、クリップ置き装置に溜まったクリップを捨てるときなど、取り出すさいに指で摘み出す作業がなくなり、安全で、かつまた取り出す時間も短くなり効率的となるクリップ置き装置およびこれを備えた電子写真装置を提供することにある。
【課題を解決するための手段】
【０００４】
上記の課題を解決するために、請求項１に記載の発明は、電子写真装置の外装に設けられるクリップ置き装置において、前記外装に対してクリップ置き箱を着脱自在に装着したことを特徴とする。
請求項２の発明は、請求項１において、前記クリップ置き箱が前記外装に設けた穴内に着脱自在に嵌合配置されることを特徴とする。
請求項３の発明は、請求項１において、前記クリップ置き箱が、前記外装の穴からの前記クリップ置き箱の着脱を容易にする取っ手を備えることを特徴とする。
請求項４の発明は、請求項１において、前記クリップ置き箱はその開口周縁から張り出した２つのツバを有し、前記外装側の穴の周縁には凹所としての傾斜形状部分を有しており、一方の前記ツバを傾斜形状部分内に押し下げることにより、他方のツバが上昇するように構成したことを特徴とする。
また、請求項５に記載の発明は、電子写真装置の外装に設けられるクリップ置き装置において、前記外装に窪みを設け、この窪み底面に磁石を配置したことを特徴とするクリップ置き装置を特徴とする。
また、請求項６に記載の発明は、前記外装の窪み底面に磁石を配置し、その上に薄いマイラを装着した請求項５記載のクリップ置き装置を特徴とする。
また、請求項７に記載の発明は、前記外装の窪み底面の下に磁石を配置した請求項５記載のクリップ置き装置を特徴とする。
また、請求項８に記載の発明は、前記外装の窪み底面の下にスライド式で稼動可能な磁石を配置した請求項５記載のクリップ置き装置を特徴とする。
また、請求項９に記載の発明は、請求項１ないし８のいずれか一項記載のクリップ置き装置を備えた電子写真装置を特徴とする。
【発明の効果】
【０００５】
本発明によれば、クリップ置き装置に溜まったクリップを捨てるときなど、取り出すさいに指で摘み出す作業がなくなり、安全であり、また取り出す時間も短くなり効率的となる。
また、外装底面に磁石を配置したことによって、ユーザがクリップやホチキスの針と接触しても、散乱を防ぐことができる。その後の拾い集める作業が無くなるばかりか、精神的にも不快にならずに済む。
【発明を実施するための最良の形態】
【０００６】
以下、図面を参照して、本発明の実施の形態を詳細に説明する。図１は本発明による電子写真装置のクリップ置き装置の第１の実施の形態を示す概略斜視図である。本発明をクリップ置き装置としたが、クリップだけでなく、ホチキスの針も包含することはもちろんである。
電子写真装置の外装１の側壁には、例えばコ字状の引っ掛け用リブ４があり、またクリップ置き箱５には引っ掛け形状部分５ａが突設されており、これによってクリップ置き箱５は電子写真装置の外装１の引っ掛け用リブ４に着脱可能となっている。
このクリップ置き箱５は、十分な深さを有しているため、一旦収納したクリップ、ホチキス針等を誤って落下、散乱させる虞がなく、また、リブ４に対して確実に引っ掛けられているため、誤ってクリップ置き箱自体を誤って落下させる虞もない。
図２は本発明による電子写真装置のクリップ置き装置の第２の実施の形態を示す概略斜視図である。図３は図２からクリップ置き箱を取り出した状態を示す概略図である。
図２および図３において、電子写真装置の外装１には、クリップ置き箱５を嵌合するための穴（凹所）１ａが設けてあり、この穴１ａにクリップ置き箱５を嵌合してセットできる形状となっている。クリップ置き箱５を誤って肘などで押したときに、落としてしまう危険性がない。
図４は本発明による電子写真装置のクリップ置き装置の第３の実施の形態を示す概略斜視図である。図４において、クリップ置き箱５の上部外周縁の適所には取り出し用のリブ（取っ手）５ｂが突出して設けられている。これによれば、リブ５ｂを指により把持することによりクリップ置き箱５を着脱操作し易くなるので、外装から箱を取り出すときに手間が掛からない。
【０００７】
図５は本発明による電子写真装置のクリップ置き装置の第４の実施の形態を示す概略斜視図である。図６は図５の第４の実施の形態のクリップ置き装置を電子写真装置の穴に配置した状態を示す概略断面図である。図７は図６の状態から電子写真装置の穴内でクリップ置き箱のリブを押した状態を示す概略断面図である。
第４の実施の形態のクリップ置き装置（クリップ置き箱）５には、開口部周縁の対向する両サイドに夫々リブ（ツバ）５ｃ、５ｄが張出し形成されており、電子写真装置の外装１の穴１ａとのセット時、このリブ５ｃ、５ｄによって上下方向は位置決めされている。
この外装１に設けた穴１ａの片側は、斜めに傾斜した凹所としての傾斜形状部分１ｂとなっており、穴１ａ内に嵌合したクリップ置き箱５のリブ５ｃを下方に向かって押すことによって、テコの原理により、クリップ置き箱５の片側、すなわち、リブ５ｄ側が浮き、電子写真装置の外装１の穴１ａから取り出すことができる。
この第４の実施の形態によれば、クリップ置き箱５を容易に取り出すことが可能となる。さらに、電子写真装置の外装１上に出っ張りがなく、誤って引っ掛けることもなくなる。
図８は本発明による電子写真装置のクリップ置き装置の第５の実施の形態を示す概略図である。図９は図８の第５の実施の形態のクリップ置き装置を電子写真装置の窪みに配置した状態を示す概略図である。
図８および図９において、電子写真装置の外装１に窪み１ｃを設けて、この窪み１ｃの内底面に板状の磁石６を設置している。この場合に、窪み１ｃ底面に磁石６の上面を覆うようにマイラ７（樹脂シート）を張ってもよい。これにより、磁石６と外装１の隙間にクリップやホチキスの針が挟まる場合に、それを取り除くのに手間が掛からない。
【０００８】
図１０は本発明による電子写真装置のクリップ置き装置の第６の実施の形態を示す概略図である。図１０において、電子写真装置の外装１に窪み１ｃを設けて、外装１の内側に、磁石６が両面テープ８により取り付けられている。窪み１ｃ内に収納された金属製クリップ、針等は、磁石６から窪み底面に作用する磁力によって吸着され、散乱することがない。
図１１は本発明による電子写真装置のクリップ置き装置の第７の実施の形態を示す概略図である。図１２は取っ手付きのスライド台に貼り付けられた磁石を示す斜視図である。図１３は図１２の取っ手付きのスライド台と磁石の関係を示す上面図である。
図１１ないし図１３において、磁石６は取っ手９ａ付きのスライド台９に貼り付けられており、スライド台９は、電子写真装置の外装１内側のレール１０上をスライドする構成となっている。
外装１の側面にはスライド台９の取っ手９ａが飛び出す長穴１ｄが設けられている。ユーザは、クリップやホチキスの針を取り出すさいには、取っ手９ａを右に稼動させる。すると、窪み１ｃ内のクリップ等は同方向へ寄せられ、取出し易い状態となる。
【図面の簡単な説明】
【０００９】
【図１】本発明による電子写真装置のクリップ置き装置の第１の実施の形態を示す概略斜視図。
【図２】本発明による電子写真装置のクリップ置き装置の第２の実施の形態を示す概略斜視図。
【図３】図２からクリップ置き箱を取り出した状態を示す概略図。
【図４】本発明による電子写真装置のクリップ置き装置の第３の実施の形態を示す概略斜視図。
【図５】本発明による電子写真装置のクリップ置き装置の第４の実施の形態を示す概略斜視図。
【図６】図５の第４の実施の形態のクリップ置き装置を電子写真装置の穴に配置した状態を示す概略断面図。
【図７】図６の状態から電子写真装置の穴内でクリップ置き箱のリブを押した状態を示す概略断面図。
【図８】本発明による電子写真装置のクリップ置き装置の第５の実施の形態を示す概略図。
【図９】図８の第５の実施の形態のクリップ置き装置を電子写真装置の窪みに配置した状態を示す概略図。
【図１０】本発明による電子写真装置のクリップ置き装置の第６の実施の形態を示す概略図。
【図１１】本発明による電子写真装置のクリップ置き装置の第７の実施の形態を示す概略図。
【図１２】取っ手付きのスライド台に貼り付けられた磁石を示す斜視図。
【図１３】図１２の取っ手付きのスライド台と磁石の関係を示す上面図。
【図１４】従来のクリップ置き場を示す概略図。
【符号の説明】
【００１０】
１  電子写真装置の外装、１ａ  外装の穴、１ｂ  穴の傾斜形状部分、１ｃ  外装の窪み、２  クリップ、３  ホチキスの針、４  引っ掛け用リブ、５  クリップ置き箱、５ａ  引っ掛け形状部分、５ｂ  リブ、５ｃ  ツバ（リブ）、５ｄ  ツバ（リブ）、６  磁石、７  マイラ、９  スライド台、９ａ  取っ手
【図１】
2006078908.tif 000003
【図２】
2006078908.tif 000004
【図３】
2006078908.tif 000005
【図４】
2006078908.tif 000006
【図５】
2006078908.tif 000007
【図６】
2006078908.tif 000008
【図７】
2006078908.tif 000009
【図８】
2006078908.tif 000010
【図９】
2006078908.tif 000011
【図１０】
2006078908.tif 000012
【図１１】
2006078908.tif 000013
【図１２】
2006078908.tif 000014
【図１３】
2006078908.tif 000015
【図１４】
2006078908.tif 000016